(57)【要約】      （修正有）【課題】本体と、挟持構成品とを備える太陽光発電パネルの架設に用いる水上フロート装置を提供する。【解決手段】本体２０が縦方向に沿って第１端２１と対向する第２端２２を設け、本体２０は垂直方向に沿って底部と、底部に対向する上部２４を設け、本体第１端の上部から底部は、本体第２端の上部から底部の厚さが異なっていて、本体２０の上部に少なくとも一つの第１滑り溝２７を凹設しており、第１滑り溝２７が本体２０の縦方向に沿って延在し、挟持構成品３０が少なくとも一つの第１挟持装置３１を有し、第１挟持装置３１を本体２０に対して移動自在にて第１滑り溝２７に設けられ、第１挟持装置３１が本体２０の縦方向に沿って移動自在の設計により、水上フロート装置１０を異なる高さの多種な太陽光発電パネルに適用することができる。【選択図】図１
0003210259.tif 000002
【実用新案登録請求の範囲】
【請求項１】
本体と、挟持構成品とを備える、太陽光発電パネルの架設に用いる水上フロート装置であって、
前記本体が縦方向に沿って、第１端と、前記第１端に対向する第２端を設けられ、前記本体が垂直方向に沿って、底部と、前記底部に対向する上部を設け、前記本体の前記第１端は前記上部から前記底部と、前記本体の前記第２端は前記上部から前記底部の厚さが異なっていて、前記本体の前記上部に少なくとも一つの第１滑り溝を凹設しており、前記第１滑り溝が前記本体の縦方向に並行して延在し、
前記挟持構成品は、少なくとも一つの第１挟持装置を有し、前記第１挟持装置が前記本体に対して移動自在に、前記第１滑り溝に設けることを特徴とする、太陽光発電パネルの架設に用いる水上フロート装置。
【請求項２】
前記第１挟持装置は、第１滑り移動具と、第１挟持具と、第２挟持具とを含む、前記第１滑り移動具は係合端と、係合端と離れた離脱防止端とを含む、前記第１滑り移動具の係合端を前記第１滑り溝に挿設していて、前記第１滑り移動具が前記第１滑り溝の延在方向に沿って、前記本体に対して移動自在に設けて、前記第１滑り移動具の前記離脱防止端を前記第１滑り溝の外側に突き出し、前記第１挟持具と、前記第２挟持具が前記第１滑り移動具の前記離脱防止端を離脱することはできない、前記第１挟持具に第１挟持部を設け、前記第２挟持具に第２挟持部を設け、前記第１挟持部と前記第２挟持部が互いに対向することを特徴とする、請求項１記載の太陽光発電パネルの架設に用いる水上フロート装置。
【請求項３】
前記本体の前記第１端の前記上部から前記底部と、前記本体の前記第２端の前記上部から前記底部との厚さが異なっていて、前記本体の前記上部に少なくとも一つの第２滑り溝を凹設され、前記第１滑り溝が前記本体の前記第１端にあり、前記第２滑り溝が前記本体の前記第２端にある、前記第２滑り溝が前記本体の横方向に沿って延在しており、前記挟持構成品は少なくとも一つの第２挟持装置を含む、前記第２挟持装置を前記本体に対して移動自在に、前記第２滑り溝に設けることを特徴とする、請求項２記載の太陽光発電パネルの架設に用いる水上フロート装置。
【請求項４】
前記第２挟持装置は、第２滑り移動具と、第３挟持具と、第４挟持具とを含む、前記第２滑り移動具は係合端と、前記係合端と離れた離脱防止端とを含む、前記第２滑り移動具の前記係合端を前記第２滑り溝に挿設していて、前記第２滑り移動具が前記第２滑り溝の延在方向に沿って前記本体に対して移動自在に設け、前記第２滑り移動具の前記離脱防止端を前記第２滑り溝の外側に突き出し、前記第３挟持具と、前記第４挟持具が前記第２滑り移動具の前記離脱防止端を離脱することはできない、前記第３挟持具に第３挟持部を設け、前記第４挟持具に第４挟持部を設け、前記第３挟持部と前記第４挟持部が互いに対向することを特徴とする、請求項３記載の太陽光発電パネルの架設に用いる水上フロート装置。
【請求項５】
前記本体の前記上部に第１斜面と、第２斜面とを設けており、前記第１斜面が前記第１端の付近場所にあり、前記第２斜面が前記第２端の付近場所にある、前記第１斜面と、前記第２斜面が同じ平面にあり、前記第１滑り溝を前記第１斜面に設け、前記第２滑り溝を前記第２斜面に設けることを特徴とする、請求項４記載の太陽光発電パネルの架設に用いる水上フロート装置。
【請求項６】
前記本体の前記上部に前記第３斜面を更に設けており、前記第３斜面は前記第２斜面が前記第１斜面の離れた側にあり、前記第３斜面と、前記第２斜面が隣接していて、かつ、互いに平行している、前記第３斜面が前記第２斜面に垂直する方向の高さは、前記第２斜面の高さを下回らない、前記第２滑り溝を前記第２斜面と、前記第３斜面との間に設けることを特徴とする、請求項５記載の太陽光発電パネルの架設に用いる水上フロート装置。
【請求項７】
前記第１挟持具と、前記第２挟持具が順を追って、前記第１滑り移動具の外側に嵌着し、前記第１挟持具を前記本体の前記上部に当接し、前記第２挟持具を前記第１挟持装置が前記本体の異なる側に当接する、前記第１挟持装置が前記第１滑り移動具の前記離脱防止端に第１離脱防止具を設け、前記第１離脱防止具を前記第１滑り移動具に締め付け固定し、前記第１離脱防止具を前記第２挟持具が前記第１挟持具の異なる側に当接し、前記第３挟持具と、前記第４挟持具が順を追って、前記第２滑り移動具の外側に嵌着し、前記第３挟持具を前記本体の前記上部に当接し、前記第４挟持具を前記第３挟持具が前記本体の異なる側に当接し、前記第２挟持装置が前記第２滑り移動具の前記離脱防止端に前記第２離脱防止具を設け、前記第２離脱防止具を前記第２滑り移動具に締め付け固定し、前記第２離脱防止具を前記第４挟持具が前記第３挟持具の異なる側に当接することを特徴とする、請求項６記載の太陽光発電パネルの架設に用いる水上フロート装置。
【請求項８】
前記本体が横方向に沿って、第１側面と、前記第１側面に対向する第２側面を設けられ、前記第１側面と、前記第２側面が前記本体の前記第１端と、前記第２端との間にあり、かつ、前記第１側面と、前記第２側面が共に前記本体の前記底部と前記上部との間にある、前記少なくとも一つの第１滑り溝の数が２つを実施し、前記２つの第１滑り溝がそれぞれ本体の前記第１側面と、前記第２側面の付近にあり、前記少なくとも一つの第２滑り溝の数が２つを実施し、前記２つの第２滑り溝がそれぞれ前記本体の前記第１側面と、前記第２側面にあり、前記少なくとも一つの第１挟持装置の数が２つを実施し、前記２つの第１挟持装置をそれぞれ前記本体に対して移動自在に設け、前記２つの第１滑り溝に設け、前記少なくとも一つの第２挟持装置の数が２つを実施し、前記２つの第２挟持装置をそれぞれ前記本体に対して移動自在に、前記２つの第２滑り溝に設けることを特徴とする、請求項７記載の太陽光発電パネルの架設に用いる水上フロート装置。
【請求項９】
前記挟持構成品は複数の滑りレールをさらに含む、前記複数の滑りレールをそれぞれ前記２つの第１滑り溝と、前記２つの第２滑り溝に挿設していて、かつ、前記滑りレールを共に前記第１滑り移動具の係合端と、前記第２滑り移動具の係合端に嵌着することを特徴とする、請求項８記載の太陽光発電パネルの架設に用いる水上フロート装置。
【請求項１０】
前記本体の前記上部に凹み溝をさらに設けており、前記凹み溝が前記本体の前記第１端と、前記第２端との間にあることを特徴とする、請求項９記載の太陽光発電パネルの架設に用いる水上フロート装置。
【請求項１１】
前記第１滑り溝と、前記第２滑り溝ともＴ溝を形成することを特徴とする、請求項３ないし１０いずれかの項記載の太陽光発電パネルの架設に用いる水上フロート装置。
【請求項１２】
前記本体の密度が１より小さいことを特徴とする、請求項１ないし１０いずれかの項記載の太陽光発電パネルの架設に用いる水上フロート装置。
【考案の詳細な説明】
【技術分野】
【０００１】
本考案は主に、水上フロート装置に関し、特に太陽光発電パネルの架設に用いる水上フロート装置に関する。
【背景技術】
【０００２】
中華民国実用新案特許第Ｉ５５０２４２号（特許文献１）太陽光発電パネルの架設に用いる水上フロート装置によれば、水上フロート装置であって、本体と、少なくとも２つの挟持構成品とを備え、前記本体の上部がテーパー状を形成し、前記本体の上部に少なくとも一つの第１滑り溝と、少なくとも一つの第２滑り溝を凹設され、前記第１滑り溝と、前記第２滑り溝が前記本体の離れた両端にあり、前記２つの挟持構成品をそれぞれ前記第１滑り溝と、前記第２滑り溝に設け、前記挟持構成品が滑り移動具と、第１挟持具と、第２挟持具とを含む、前記滑り移動具の一端を前記第１滑り溝または前記第２滑り溝に挿設し、他端を前記第１滑り溝または前記第２滑り溝の外側に突き出しており、第１挟持具と、第２挟持具を前記滑り移動具の外部に嵌着し、前記水上フロート装置が前記挟持構成品によって、太陽光発電パネルを挟持することができる。
【先行技術文献】
【特許文献】
【０００３】
【特許文献１】中華民国実用新案特許第Ｉ５５０２４２号
【考案の概要】
【考案が解決しようとする課題】
【０００４】
しかしながら、前述構造を採用した水上フロート装置は、一つの規格の太陽光発電パネルしか適用することができない。実務において生産するときは、異なる規格の多種な太陽光発電パネル向けに異なる寸法の多種な水上フロート装置を設計する人用がある。そして、サイズごとの水上フロート装置は、それぞれに研究開発コストと、生産設備コストが掛かるため、水上フロート装置コストが高い水準に推移していることが現状である。
【０００５】
前述欠点について、考案者は前述公知構造の欠点をすべて克服できる太陽光発電パネルの架設に用いる水上フロート装置を思料した次第である。
【課題を解決するための手段】
【０００６】
本考案の主な目的は、本体と、挟持構成品とを備える水上フロート装置を提供する。本体は縦方向に沿って第１端と、対向する第２端を設けられ、本体は垂直方向に沿って底部と、底部に対向する上部を設け、本体第１端の上部から底部と、本体第２端の上部から底部の厚さが異なっていて、本体の上部に少なくとも一つの第１滑り溝を凹設し、第１滑り溝が本体の縦方向に沿って延在し、挟持構成品が少なくとも一つの第１挟持装置を有し、第１挟持装置を本体に対して移動自在に第１滑り溝に設けて、第１挟持装置が本体の縦方向に沿って移動自在の設計により、水上フロート装置を異なる高さの多種な太陽光発電パネルに適用することができる。
【０００７】
第１挟持装置が第１滑り移動具と、第１挟持具と、第２挟持具とを含む、第１滑り移動具が係合端と、係合端と離れた離脱防止端とを含む、第１滑り移動具の係合端を第１滑り溝に挿設していて、第１滑り移動具が第１滑り溝の延在方向に沿って本体に対して移動自在に設けて、第１滑り移動具の離脱防止端を第１滑り溝の外側に突き出し、第１挟持具と、第２挟持具が第１滑り移動具の離脱防止端を離脱することはできない、第１挟持具に第１挟持部を設け、第２挟持具に第２挟持部を設け、第１挟持部と第２挟持部が互いに対向されている。
【０００８】
本体第１端の上部から底部と、本体第２端の上部から底部との厚さが異なっていて、本体の上部に少なくとも一つの第２滑り溝を凹設され、第１滑り溝が本体の第１端にあり、第２滑り溝位が本体の第２端にある、第２滑り溝が本体の横方向に沿って延在しており、挟持構成品が少なくとも一つの第２挟持装置を含む、第２挟持装置が本体に対して移動自在にて第２滑り溝に設けられている。
【０００９】
第２挟持装置は、第２滑り移動具と、第３挟持具と、第４挟持具とを含む、第２滑り移動具は係合端と、係合端と離れた離脱防止端とを含む、第２滑り移動具の係合端を第２滑り溝に挿設していて、第２滑り移動具が第２滑り溝の延在方向に沿って本体に対して移動自在に設けて、第２滑り移動具の離脱防止端を第２滑り溝の外側に突き出し、第３挟持具と、第４挟持具が第２滑り移動具の離脱防止端を離脱することはできない、第３挟持具に第３挟持部を設け、第４挟持具に第４挟持部を設け、第３挟持部と第４挟持部が互いに向かい合っている。
【００１０】
本体の上部に第１斜面と、第２斜面とを設けており、第１斜面が第１端の付近場所にあり、第２斜面が第２端の付近場所にある、第１斜面と、第２斜面が同じ平面にあり、第１滑り溝を第１斜面に設けて、第２滑り溝を第２斜面に設ける。
【００１１】
本体の上部に第３斜面を更に設けており、第３斜面は第２斜面が第１斜面の離れた側にあり、第３斜面と、第２斜面が隣接していて、かつ、互いに平行している、第３斜面が第２斜面に垂直する方向の高さは、第２斜面の高さを下回らない、第２滑り溝を第２斜面と、第３斜面との間に設けられている。
【００１２】
第１挟持具と、第２挟持具が順を追って、第１滑り移動具の外側に嵌着し、第１挟持具を本体の上部に当接し、第２挟持具を第１挟持具が本体の異なる側に当接する、第１挟持装置が第１滑り移動具の離脱防止端に第１離脱防止具を設け、第１離脱防止具を第１滑り移動具に締め付け固定し、第１離脱防止具を第２挟持具が第１挟持具の異なる側に当接し、第３挟持具と、第４挟持具が順を追って、第２滑り移動具の外側に嵌着し、第３挟持具を本体の上部に当接し、第４挟持具を第３挟持具が本体の異なる側に当接し、第２挟持装置が第２滑り移動具の離脱防止端に第２離脱防止具を設け、第２離脱防止具を第２滑り移動具に締め付け固定し、第２離脱防止具を第４挟持具が第３挟持具の異なる側に当接する。
【００１３】
本体は横方向に沿って、第１側面と、第１側面に対向する第２側面を設けられ、第１側面と、第２側面が本体の第１端と、第２端との間にあり、かつ、第１側面と、第２側面が共に本体の底部と上部との間にある、前述少なくとも一つの第１滑り溝の数が２つを実施し、前述２つの第１滑り溝がそれぞれ本体の第１側面と、第２側面の付近にあり、前述少なくとも一つの第２滑り溝の数が２つを実施し、前述２つの第２滑り溝がそれぞれ本体の第１側面と、第２側面にあり、前述少なくとも一つの第１挟持装置の数が２つを実施し、２つの第１挟持装置をそれぞれ本体に対して移動自在に設け、前述２つの第１滑り溝に設け、前述少なくとも一つの第２挟持装置の数が２つを実施し、２つの第２挟持装置をそれぞれ本体に対して移動自在に、前述２つの第２滑り溝に設ける。
【００１４】
挟持構成品は複数の滑りレールをさらに含む、前述複数の滑りレールをそれぞれ前述２つの第１滑り溝と、前述２つの第２滑り溝に挿設していて、かつ、滑りレールを共に第１滑り移動具の係合端と、第２滑り移動具の係合端に嵌着されている。
【００１５】
本体の上部に凹み溝をさらに設けており、凹み溝が本体の第１端と、第２端との間にある。
【００１６】
第１滑り溝と、第２滑り溝ともＴ溝を形成されている。
【００１７】
本体の密度は、１より小さい。
【００１８】
その他の目的、長所および本考案の新規性は以下の詳細説明と関連図面によって、より明確することができる。
【図面の簡単な説明】
【００１９】
【図１】本考案の太陽光発電パネルの架設に用いる水上フロート装置による立体外観図である。
【図２】本考案の太陽光発電パネルの架設に用いる水上フロート装置による立体分解図である。
【図３】本考案の太陽光発電パネルの架設に用いる水上フロート装置による断面構造図である。
【図４】本考案の太陽光発電パネルの架設に用いる水上フロート装置の第１挟持装置による局所の断面拡大構造図である。
【図５】本考案の太陽光発電パネルの架設に用いる水上フロート装置の第２挟持装置による局所の断面拡大構造図である。
【図６】本考案の太陽光発電パネルの架設に用いる水上フロート装置の第１挟持装置が移動後による断面構造図である。
【図７】本考案の太陽光発電パネルの架設に用いる水上フロート装置の第１挟持装置が移動後による局所の断面拡大構造図である。
【図８】本考案の太陽光発電パネルの架設に用いる水上フロート装置に通路を設けて、太陽光発電パネルを架設した使用態様図である。
【考案を実施するための形態】
【００２０】
本考案による技術、手段ならびに効果は、好ましい実施例と図式を合わせて、以下の通り説明する。ただし、これらは説明を目的とし、本考案の請求範囲にはこれらの構造に制限されない。
【実施例】
【００２１】
図１と、図２、本考案の太陽光発電パネルの架設に用いる水上フロート装置による立体外観図と、挟持構成品の立体分解図とを参照する。本考案の水上フロート装置１０は、本体２０と、挟持構成品３０とを含む。
【００２２】
引き続き、図３ないし図５、本考案の太陽光発電パネルの架設に用いる水上フロート装置による断面構造図と、第１挟持装置の局所の断面拡大構造図と、第２挟持装置の局所の断面拡大構造図を参照する。本体２０の密度は１より小さい、本体２０が縦方向に沿って、第１端２１と、第１端２１に対向する第２端２２とを設けられ、本体２０が垂直方向に沿って、底部２３と、底部２３に対向する上部２４を設け、本体２０の第１端２１の上部２４から底部２３と、本体２０の第２端２２の上部２４から底部２３の厚さを異なることによって、本体２０の上部２４がテーパー状を形成される。本実施例において、本体２０の第１端２１の上部２４から底部２３の厚さが本体２０の第２端２２の上部２４から底部２３の厚さより大きい。本体２０が横方向に沿って、第１側面２５と、第１側面２５と対向する第２側面２６を設け、第１側面２５と、第２側面２６が本体２０の第１端２１と第２端２２との間にあり、かつ、第１側面２５と、第２側面２６が共に本体２の底部２３と上部２４との間にある。
【００２３】
本体２０の上部２４に第１斜面２４１と、第２斜面２４２とを設けており、第１斜面２４１が第１端２１の付近場所にあり、第２斜面２４２が第２端２２の付近場所にある、第１斜面２４１と、第２斜面２４２が同じ平面にある。本体２０の上部２４に第３斜面２４３を更に設けており、第３斜面２４３は第２斜面２４２が第１斜面２４１の離れた側にあり、第３斜面２４３と、第２斜面２４２が隣接していて、かつ、互いに平行している、第３斜面２４３が第２斜面に２４２に垂直する方向の高さは、第２斜面２４２の高さを下回らない。本体２０の上部２４に凹み溝２４４をさらに設けており、凹み溝２４４が本体２０の第１端２１と第２端２２との間にある。
【００２４】
本体２０の上部２４に少なくとも一つの第１滑り溝２７と、少なくとも一つの第２滑り溝２８を凹設しており、第１滑り溝２７が本体２０の第１端２１にあり、第１滑り溝２７を第１斜面２４１に設けて、第２滑り溝２８が本体２０の第２端２２にあり、かつ、第２滑り溝２８を第２斜面２４２と、第３斜面２４３との間に設けており、第１滑り溝２７が本体２０の縦方向に並行して延在し、第２滑り溝２８が本体２０の横方向に平行して延在する、本実施例において第１滑り溝２７と、第２滑り溝２８ともＴ形槽を形成されている。本実施例において、前述少なくとも一つの第１滑り溝２７の数は２つを有し、前述２つの第１滑り溝２７をそれぞれ本体２０の第１側面２５と、第２側面２６に隣接し、本実施例において、前述少なくとも一つの第２滑り溝２８の数は、２つを有し、前述２つの第２滑り溝２８がそれぞれ本体２０の第１側面２５と、第２側面２６にある。
【００２５】
挟持構成品３０が少なくとも一つの第１挟持装置３１と、少なくとも一つの第２挟持装置３２とを含む、本実施例において、前述少なくとも一つの第１挟持装置３１の数は２つを有し、２つの第１挟持装置３１をそれぞれ本体２０に対して移動自在に前述２つの第１滑り溝２７に設け、本実施例において、前述少なくとも一つの第２挟持装置３２の数は２つを有し、２つの第２挟持装置３２をそれぞれ本体２０に対して移動自在に前述２つの第２滑り溝２８に設ける。
【００２６】
第１挟持装置３１は、第１滑り移動具３１１と、第１挟持具３１２と、第２挟持具３１３とを含む、第１滑り移動具３１１は係合端３１４と、係合端３１４と離れた離脱防止端３１５とを含む、第１滑り移動具３１１の係合端３１４を第１滑り溝２７に挿設することによって、第１滑り移動具３１１が第１滑り溝２７の延在方向に沿って本体２０に対して移動自在に設けて、第１滑り移動具３１１の離脱防止端３１５を第１滑り溝２７の外側に突き出す。
【００２７】
第１挟持具３１２と、第２挟持具３１３が順を追って、第１滑り移動具３１１の外側に設けて、第１挟持具３１２を本体２０の上部２４に当接し、第２挟持具３１３を第１挟持具３１２が本体２０と異なる側に当接し、第１挟持具３１２と、第２挟持具３１３が第１滑り移動具３１１の離脱防止端３１５を離脱することはできない。第１挟持具３１２に第１挟持部３１６を設け、第２挟持具３１３に第２挟持部３１７を設け、第１挟持部３１６と、第２挟持部３１７が互いに対向する。
【００２８】
第１挟持装置３１は第１滑り移動具３１１の離脱防止端３１５に第１離脱防止具３１８を設け、第１離脱防止具３１８を第１滑り移動具３１１に締め付け固定し、第１離脱防止具３１８を第２挟持具３１３が第１挟持具３１２の異なる側に当接する。
【００２９】
第２挟持装置３２は、第２滑り移動具３２１と、第３挟持具３２２と、第４挟持具３２３とを含む、第２滑り移動具３２１は係合端３２４と、係合端３２４と離れた離脱防止端３２５とを含む、第２滑り移動具３２１の係合端３２４を第２滑り溝２８に挿設することによって、第２滑り移動具３２１が第２滑り溝２８の延在方向に沿って本体２０に対して移動自在に設けて、第２滑り移動具３２１の離脱防止端３２５を第２滑り溝２８の外側に突き出す。
【００３０】
第３挟持具３２２と、第４挟持具３２３が順を追って、第２滑り移動具３２１の外側に嵌着し、第３挟持具３２２を本体２０の上部２４に当接し、第４挟持具３２３を第３挟持具３２２が本体２０と異なる側に当接し、第３挟持具３２２と、第４挟持具３２３が第２滑り移動具３２１の離脱防止端３２５を離脱することはできない。第３挟持具３２２に第３挟持部３２６を設け、第４挟持具３２３に第４挟持部３２７を設け、第３挟持部３２６と、第４挟持部３２７が互いに対向する。
【００３１】
第２挟持装置３２は第２滑り移動具３２１の離脱防止端３２５に第２離脱防止具３２８を設け、第２離脱防止具３２８を第２滑り移動具３２１に締め付け固定し、第２離脱防止具３２８を第４挟持具３２３が第３挟持具３２２の異なる側に当接する。
【００３２】
挟持構成品３０は複数の滑りレール３３をさらに含む、前述複数の滑りレール３３をそれぞれ前述２つの第１滑り溝２７と、前述２つの第２滑り溝２８に挿設していて、かつ、滑りレール３３を共に第１滑り移動具３１１の係合端３１４と、第２滑り移動具３２１の係合端３２４に嵌着されている。
【００３３】
引き続き図６ないし図８、本考案の太陽光発電パネルの架設に用いる水上フロート装置の第１挟持装置移動後の断面構造図と、第１挟持装置移動後の局所の拡大断面構造図と、通路を設けて太陽光発電パネルを架設した使用態様図を合わせて参照する。水上フロート装置１０が挟持構成品３０によって、太陽光発電パネル９０を挟持し、太陽光発電パネル９０を日照角度に固定することによって、太陽光発電パネル９０が太陽光エネルギーの吸収効率を上げると共に、第１挟持装置３１を本体２０に対して縦方向に移動する設計と合わせて、水上フロート装置１０を様々な高さの太陽光発電パネル９０に適用することができる。
【００３４】
さらに、本体２０が水面に浮いているため、土地の面積を占用することなく、水上フロート装置１０を大きい面積で海面または湖の水面上に架設することができる。水上フロート装置１０は、本体２０の第１端２１または第２端２２に通路９１を繋いで、通行に提供することができる。
【００３５】
以上の説明から、本考案は以下の長所をまとめることができる。
【００３６】
本考案の太陽光発電パネルの架設に用いる水上フロート装置は、本体と、挟持構成品とを備える。本体が縦方向に沿って第１端と、対向する第２端を設け、本体が垂直方向に沿って、底部と、底部に対向する上部を設け、本体第１端の上部から底部と、本体第２端の上部から底部の厚さが異なっていて、本体の上部に少なくとも一つの第１滑り溝を凹設し、第１滑り溝が本体の縦方向に沿って延在し、挟持構成品は少なくとも一つの第１挟持装置を有し、第１挟持装置を本体に対して移動自在に第１滑り溝に設けて、第１挟持装置が本体の縦方向に沿って移動自在の設計により、水上フロート装置を異なる高さの多種な太陽光発電パネルに適用することができる。
【００３７】
以上に説明したものは、本考案の好ましい実施例であり、本考案実施の範疇に制限を加えるものではなく、本考案による数値的な変更又は同等効果を有する要素の置き換え、若しくは本考案の特許請求の範囲による均等変化又は修整とも本考案の特許範疇に含まれる。
【符号の説明】
【００３８】
１０      水上フロート装置
２０      本体
２１      第１端
２２      第２端
２３      底部
２４      上部
２４１    第１斜面
２４２    第２斜面
２４３    第３斜面
２４４    凹み溝
２５      第１側面
２６      第２側面
２７      第１滑り溝
２８      第２滑り溝
３０      挟持構成品
３１      第１挟持装置
３１１    第１滑り移動具
３１２    第１挟持具
３１３    第２挟持具
３１４    係合端
３１５    離脱防止端
３１６    第１挟持部
３１７    第２挟持部
３１８    第１離脱防止具
３２      第２挟持装置
３２１    第２滑り移動具
３２２    第３挟持具
３２３    第４挟持具
３２４    係合端
３２５    離脱防止端
３２６    第３挟持部
３２７    第４挟持部
３２８    第２離脱防止具
３３      滑りレール
【図１】
0003210259.tif 000003
【図２】
0003210259.tif 000004
【図３】
0003210259.tif 000005
【図４】
0003210259.tif 000006
【図５】
0003210259.tif 000007
【図６】
0003210259.tif 000008
【図７】
0003210259.tif 000009
【図８】
0003210259.tif 000010
【手続補正書】
【提出日】平成29年2月23日(2017.2.23)
【手続補正１】
【補正対象書類名】図面
【補正対象項目名】全図
【補正方法】変更
【補正の内容】
【図１】
0003210259.tif 000011
【図２】
0003210259.tif 000012
【図３】
0003210259.tif 000013
【図４】
0003210259.tif 000014
【図５】
0003210259.tif 000015
【図６】
0003210259.tif 000016
【図７】
0003210259.tif 000017
【図８】
0003210259.tif 000018